(57)【特許請求の範囲】
【請求項１】
主板の幅方向両端より略直角状に側部を形成し，一方側の側部の下端に断面略折返し形状とした溝形状部を形成し，該溝形状部の他端から略水平状の上部連結片を形成し，且つ他方側の側部の下端には略水平状の下部連結片を形成した壁パネル材を備え、隣接する壁パネル材の上部連結片と下部連結片とを接合し、その上部連結片上にキャップ固定部材を装着し、該キャップ固定部材を介して隣接する壁パネル材間にキャップ材を装着してなることを特徴とする壁パネルの接合構造。
【請求項２】
主板の幅方向両端より略直角状に側部を形成し，一方側の側部の下端に断面略折返し形状とした溝形状部を形成し，該溝形状部の他端から略水平状の上部連結片を形成し，且つ他方側の側部の下端には略水平状の下部連結片を形成した壁パネル材と、台座片の幅方向両端から下方にガイド片を形成し，前記台座片上に嵌合部を形成したキャップ固定部材と、キャップ材とからなり、前記下部連結片と上部連結片とが略重合状態で隣接する前記壁パネル材間の上部連結片の幅方向両端がキャップ固定部材のガイド片にて挟持されて台座片が載置固着され、前記キャップ材がキャップ固定部材を介して固定されてなることを特徴とする壁パネルの接合構造。
【請求項３】
請求項１又は２において、前記壁パネル材の内部にはハニカム芯材を装着してなることを特徴とする壁パネルの接合構造。
【請求項４】
請求項１又は２において、前記壁パネル材の内部には耐火材を充填してなることを特徴とする壁パネルの接合構造。
【請求項５】
請求項１，２，３又は４において、前記キャップ固定部材と前記キャップ材との間には耐火発泡膨張材を装着してなることを特徴とした壁パネルの接合構造。
【発明の詳細な説明】
【０００１】
【産業上の利用分野】
本発明は、建築物の壁部を構成する壁パネル材の施工に関するものであり、特に施工性，強度及び水はけ等に優れた壁パネルの接合構造に関する。
【０００２】
【従来の技術】
従来より、建築物の壁部には種々の建材が存在しており、それぞれの建材に応じた施工が行われている。近年では、その建材として壁パネル材が多く使用されている。その壁パネル材も、偏平箱状に形成され、内部に断熱材、防火材（耐火材）等が充填されたものが使用される。
【０００３】
このような、壁パネル材を多数用意して、胴縁等の構造材にビス等の固着具を介して取り付けてゆく。また、横方向，縦方向等に隣接する壁パネル材間には、その目地を塞ぐためのキャップ部材が装着され、前記ビス等の固着具を外部から隠したり、又は雨水が壁パネル材間より内部に入り込まないようにしている。
【０００４】
【発明が解決しようとする課題】
ところで、上記のように隣接する壁パネル材間にキャップ材を装着するのに、従来では、壁パネル材間の隙間にキャップ材を押し込こみ、壁パネル材の側部に形成された小突起等とキャップ材とを嵌合させる等してキャップ材を固定している。しかし、上記の構造によれば、キャップ材の幅方向における所定の寸法と、隣接する壁パネル材間の間隔が正確に決定されないとキャップ材は適正な固定力を有して固定することができない。
【０００５】
ところが、配列された多数の壁パネル材において、隣接する壁パネル材間の間隔を全て正確に同一にすることは極めて困難であり、多少も誤差は必ず生じてしまうものであった。そのために、キャップ材を装着するときに、壁パネル材間の間隔が規定寸法より僅かでも広すぎれば、キャップ材は緩すぎて装着することができないし、またその反対に狭すぎれてもキャップ材を嵌めることができない。このようなことから、壁パネル材の側面に小突起等を形成してキャップ材と嵌合させて固定させることが行われているが、この構造でも適正な取付強度を得ることは困難である。
【０００６】
【課題を解決するため手段】
そこで、発明者は上記課題を解決すべく、鋭意，研究を重ねた結果、本発明を、主板の幅方向両端より略直角状に側部を形成し，一方側の側部の下端に断面略折返し形状とした溝形状部を形成し，該溝形状部の他端から略水平状の上部連結片を形成し，且つ他方側の側部の下端には略水平状の下部連結片を形成した壁パネル材を備え、隣接する壁パネル材の上部連結片と下部連結片とを接合し、その上部連結片上にキャップ固定部材を装着し、該キャップ固定部材を介して隣接する壁パネル材間にキャップ材を装着してなる壁パネルの接合構造としたことにより、施工効率に優れ、施工仕上り，耐久性及び水はけ等が良好であり、上記課題を解決したものである。
【０００７】
【発明の実施の形態】
以下、本発明の実施例を図面に基づいて説明する。本発明の壁パネル材Ａは、表面パネルＡ1 ，裏面材Ａ2 及び芯材７等から構成されている〔図９，図１０（Ａ），（Ｂ）参照〕。その表面パネルＡ1 は、平坦状の主板１の幅方向一端より略直角状に側部２，２が形成されている。その一方の側部２の下端には、溝形状部３が形成されている（図２，図３等参照）。
【０００８】
該溝形状部３は、断面略Ｕ字形状に折り返し形成されたものであり、その溝幅が前記主板１と比較して極めて小さい。また、溝形状部３は、前述したようにＵ字形状以外でも構わない。例えば断面略Ｖ字形状としたり或いは断面略逆門形状としてもよい。
【０００９】
その溝形状部３の外端（前記側部２との連結部分とは反対側端）には、上部連結片４が形成されている。該上部連結片４は、平坦状に形成され、且つ前記側部２の下端より前記溝形状部３を介して一段高い位置に形成されている（図２，図３参照）。その上部連結片４の外端より裏面側に向かって折返し端縁４ａが形成されている。該折返し端縁４ａは、上部連結片４の幅方向の略中央付近に近接した位置まで形成されている。
【００１０】
また、主板１の幅方向他端側の側部２の下端には、下部連結片５が形成されている。該下部連結片５は、主板１に対して略平行な水平状をなしている。また、下部連結片５の幅方向寸法は、前記上部連結片４の略半分程度である。その下部連結片５の外端箇所から上面側に折返し端縁５ａが形成されている。該折返し端縁５ａは傾斜状をなしている。また、下部連結片５及び折返し端縁５ａは、表面パネルＡ1 とともに後述する裏面材Ａ2 によって形成されている〔図４（Ａ）等参照〕。
【００１１】
その表面パネルＡ1 には、裏面材Ａ2 が装着され、偏平箱形状を構成する。具体的には、表面パネルＡ1 の上部連結片４と下部連結片５とに裏面材Ａ2 が接合し、主板１と裏面材Ａ2 との間に空隙が形成され、内部に芯材７が装着可能な構成としたものである。その芯材７としては、補強材として図９に示すように、ハニカム芯材７ａ、或いは耐火，防火材として図１１（Ａ），（Ｂ）に示すように、耐火材７ｂが使用される。
【００１２】
その裏面材Ａ2 の幅方向端部箇所で且つ前記上部連結片４と接合する部分には、段差立上り部６ａ及び接合面部６ｂが形成されている。該接合面部６ｂは、前記段差立上り部６ａを介して裏面材Ａ2 の他の面板箇所と段差を有している〔図１０（Ａ）参照〕。その段差立上り部６ａが前記溝形状部３に当接し、接合面部６ｂが上部連結片４の裏面側に接合する。また、裏面材Ａ2 の他方側の端部は壁パネル材Ａの下部連結片５に接合する〔図１０（Ｂ）参照〕。
【００１３】
その裏面材Ａ2 には、図１０（Ｂ）に示すように、上記段差立上り部６ａが形成されているので、該段差立上り部６ａを表面パネルＡ1 側の溝形状部３に当接させることにより表面パネルＡ1 と裏面材Ａ2 との位置合わせを容易に行うことができる。さらに、前記溝形状部３と段差立上り部６ａとを当接させることで、表面パネルＡ1 と裏面材Ａ2 を貼着する際に位置ズレを防止することができ、均一なる壁パネル材Ａの製造を効率的に行うことができる。
【００１４】
次に、キャップ固定部材Ｂは、台座片８と，該台座片８の幅方向両側から下方に形成されたガイド片９，９と、嵌合部１０とから構成されている。その台座片８は、前記壁パネル材Ａの上部連結片４の幅方向と略同一幅程度に形成されたもので、その台座片８の幅方向に形成されたガイド片９，９は、台座片８の下方側に向かって形成されている〔図５（Ａ）参照〕。
【００１５】
そのガイド片９，９は具体的には、台座片８に対して外方且つ下向きに傾斜状に形成されている。その傾斜は円弧状傾斜とすることもある。或いは、ガイド片９，９は台座片８に対して略垂直状に形成してもよい。その台座片８は、前記壁パネル材Ａの上部連結片４上に載置され、両ガイド片９，９によって、上部連結片４の幅方向両端箇所を略挟持状態となる構造である。
【００１６】
その台座片８の上面側には嵌合部１０が形成されている。該嵌合部１０は、立上り板状に形成され、且つ台座片８の前後方向両端に形成されており、板片状をの嵌合立上り片１０ａの幅方向両側箇所に嵌合突起１０ｂ，１０ｂが形成されたものである。該嵌合突起１０ｂ，１０ｂは、嵌合部１０の幅方向両端より外方に略く字形状に突出形成されたもので、後述するキャップ材１２を嵌合固定する役目をなす（図１，図２或いは図７等参照）。また、前記台座片８の中心箇所には貫通孔８ａが穿孔され、固定用ビス等の固着具１３が挿入し、壁パネル材Ａの上部連結片４に固着することができるようになっている。
【００１７】
その嵌合立上り片１０ａの上端には、嵌合立上り片１０ａに対して略直角状となる平坦状の頂片１０ｃが形成されている。該頂片１０ｃにより、後述するキャップ材１２を裏面側より支持するものである。その嵌合部１０は、台座片８に対して１つのみが形成される実施例も存在する〔図６（Ｂ）参照〕。
【００１８】
また、図６（Ｃ）に示されたものでは、台座片８が前後方向に比較的長く形成されたものであって、貫通孔８ａが、台座片８の長手方向端部箇所に穿孔されている。そして、キャップ固定部材Ｂを上部連結片４に固着したときに、その貫通孔８ａを中心にして、適宜の範囲で回動可能とすることができる〔図６（Ｄ）参照〕。これによって、キャップ固定部材Ｂを上部連結片４上に固着するときに、角度の誤差を修正することが容易にできる。
【００１９】
また、前記台座片８の下面側，即ち前記壁パネル材Ａの上部連結片４上に載置する面には、防水部材１１が装着されている。該防水部材１１は、具体的には薄いゴム板材等の板状弾性部材が使用され、台座片８の裏面に接着剤で貼着されている。また、その防水部材１１の外面には粘着糊剤が塗布されており、剥離紙が張り付けられ、使用時に剥がして使用することができるようになっている。
【００２０】
次に、キャップ材１２は、被覆頂部１２ａの幅方向両側に被嵌合側部１２ｂ，１２ｂが形成されたものである。その被覆頂部１２ａは、長手方向に長尺であり、平坦状に形成されたものである。被嵌合側部１２ｂ，１２ｂは、前記キャップ固定部材Ｂの両嵌合突起１０ｂ，１０ｂに嵌合される形状となっている。即ち、嵌合突起１０ｂの上下方向における略中間箇所がキャップ材１２の内方に略く字形状に屈曲形成されたものである（図１，図７等参照）。
【００２１】
また、前記キャップ固定部材Ｂの嵌合突起１０ｂと、キャップ材１２の被嵌合側部１２ｂとの形状を上記のように略く字形状の突起又は屈曲面としたが、その他の形状でキャップ固定部材Ｂにキャップ材１２が嵌合可能なものであれば、上記実施例に限定されるものではない。
【００２２】
次に、複数の壁パネル材Ａ，Ａ，…による建築物の壁体の施工を説明する。まず、胴縁等の構造材に壁パネル材Ａが固定され、その壁パネル材Ａの下部連結片５上に隣接する壁パネル材Ａの上部連結片４が配置されつつ、該隣接の壁パネル材Ａが構造材に固定される。また、上部連結片４と下部連結片５との間にはシール材１５が装着され、水密性を確保している。その隣接する壁パネル材Ａ，Ａの重なり合った下部連結片５と上部連結片４には、ドリルビス等の固着具１３により構造材に固着される。これを順次繰り返して、複数の壁パネル材Ａ，Ａ，…が構造材に並設され、壁体が構成される。
【００２３】
次に、上部連結片４上にキャップ固定部材Ｂの台座片８が載置され、前記固着具１３にて上部連結片４及び下部連結片５に貫通してキャップ固定部材Ｂが上部連結片４に固定される。このとき、台座片８に形成されたガイド片９，９は、上部連結片４の幅方向両端箇所を略挟持する構成となり、台座片８を上部連結片４に載置するときの位置決めと固着具１３による固定作業での取付け位置の狂いを防止する役目をなす〔図５（Ｂ），図６等参照〕。
【００２４】
そのキャップ固定部材Ｂは、上部連結片４の長手方向に沿って所定間隔をおいて、複数固着される。そして、その複数のキャップ固定部材Ｂ，Ｂ，…上にキャップ材１２が配置され、キャップ固定部材Ｂの嵌合突起１０ｂ，１０ｂと、キャップ材１２の被嵌合側部１２ｂ，１２ｂとが嵌合してキャップ材１２が固定されるものである。
【００２５】
次に、本発明の第２実施形態として、前記キャップ固定部材Ｂとキャップ材１２との間にの間に耐火発泡膨張材１４が装着されるものが存在する〔図１２，図１３（Ａ），（Ｂ）参照〕。該耐火発泡膨張材１４は、柔軟性を有する帯形状をなしている。該耐火発泡膨張材１４は、高温により発泡しつつ体積膨張するもので、膨張が完了することにより耐火性のブロック材となる。
【００２６】
上記の耐火発泡膨張材１４が、前記キャップ固定部材Ｂの嵌合部１０に形成された頂片１０ｃとキャップ材１２の被覆頂部１２ａの裏面との間に配置される。そして、火災時に図１４（Ａ），（Ｂ）等に示すように、耐火発泡膨張材１４が体積膨張し、キャップ材１２内に充満し、キャップ材１２と略同等の外形を有する耐火ブロックが形成される。これによって、隣接する壁パネル材Ａ，Ａ間のキャップ材１２の装着箇所の耐火性を確保することができる。
【００２７】
【発明の効果】
請求項１の発明は、主板１の幅方向両端より略直角状に側部２，２を形成し，一方側の側部２の下端に断面略折返し形状とした溝形状部３を形成し，該溝形状部３の他端から略水平状の上部連結片４を形成し，且つ他方側の側部２の下端には略水平状の下部連結片５を形成した壁パネル材Ａを備え、隣接する壁パネル材Ａ，Ａの上部連結片４と下部連結片５とを接合し、その上部連結片４上にキャップ固定部材Ｂを装着し、該キャップ固定部材Ｂを介して隣接する壁パネル材Ａ，Ａ間にキャップ材１２を装着してなる壁パネルの接合構造としたことにより、キャップ固定部材Ｂを使用しているので、隣接する壁パネル材Ａ，Ａの間隔の均一性の精度にかかわらず隣接する壁パネル材Ａ，Ａ間へのキャップ材１２の装着が効率的にできる。また、溝形状部３を形成していることにより雨水の排水を容易に行うことができる。
【００２８】
請求項２の発明は、主板１の幅方向両端より略直角状に側部２，２を形成し，一方側の側部２の下端に断面略折返し形状とした溝形状部３を形成し，該溝形状部３の他端から略水平状の上部連結片４を形成し，且つ他方側の側部２の下端には略水平状の下部連結片５を形成した壁パネル材Ａと、台座片８の幅方向両端から下方にガイド片９，９を形成し，前記台座片８上に嵌合部１０を形成したキャップ固定部材Ｂと、キャップ材１２とからなり、前記下部連結片５と上部連結片４とが略重合状態で隣接する前記壁パネル材Ａ，Ａ間の上部連結片４の幅方向両端がキャップ固定部材Ｂのガイド片９，９にて挟持されて台座片８が載置固着され、前記キャップ材１２がキャップ固定部材Ｂを介して固定されてなる壁パネルの接合構造としたことにより、まず第１に隣接する壁パネル材Ａ，Ａ間へのキャップ材１２の装着を効率的に行うことできるし、第２にキャップ材１２を強固に固定することができるし、第３に隣接する壁パネル材Ａ，Ａ間の水はけを良好にすることができる等の種々の効果を奏する。
【００２９】
上記効果を詳述すると、キャップ固定部材Ｂには、台座片８の幅方向両側にガイド片９，９が形成されていることにより、該キャップ固定部材Ｂを隣接する壁パネル材Ａ，Ａ間の上部連結片４上に載置するときに、前記ガイド片９，９が上部連結片４の幅方向両側箇所を挟持して台座片８を略正確に載置固定することができる。
【００３０】
そして、キャップ固定部材Ｂには嵌合部１０が形成されており、従来のように隣接する壁パネル材Ａ，Ａ間にキャップ材１２を嵌め込むタイプに比較して、嵌合部１０にキャップ材１２を装着することにより一層強固なるキャップ材１２の装着にすることができる。したがって、キャップ材１２は、キャップ固定部材Ｂを介して隣接する壁パネル材Ａ，Ａ間に装着するものでありため、隣接する壁パネル材Ａ，Ａの間隔をキャップ材１２の幅方向寸法に合わせて極めて正確にする施工する必要がなく、施工の許容誤差の範囲を比較的大きくすることができ、施工効率を向上させることができる。
【００３１】
また、側部２と上部連結片４との間には溝形状部３が形成されているので、キャップ材１２から浸入した雨水等の水分がその溝形状部３に入り込み、該溝形状部３を介して外部に排出される。また、溝形状部３による屈曲部分が側部２と上部連結片４との間に存在することより、壁パネル材Ａの連結部分における断面係数の数値を大きくすることができ、力学的強度を向上させることができる。
【００３２】
なお、壁パネル材Ａは、表面パネルＡ1 と裏面材Ａ2 とから構成されるものであるが、前記溝形状部３を表面パネルＡ1 に形成し、裏面材Ａ2 には段差立上り部６ａを形成し、該段差立上り部６ａを表面パネルＡ1 側の溝形状部３に当接させることにより、表面パネルＡ1 と裏面材Ａ2 との位置合わせを容易に行うことができ、且つ両者を貼着する際には位置ズレすることなく、均一なる壁パネル材Ａの製造を効率的に行うことができるという利点も生じるものである。
【００３３】
次に、請求項３の発明は、請求項１又は２において、前記壁パネル材Ａの内部にはハニカム芯材７ａを装着してなる壁パネルの接合構造としたことにより、壁パネル材Ａの強度を向上させることができる。
【００３４】
次に、請求項４の発明は、請求項１又は２において、前記壁パネル材Ａの内部には耐火材７ｂを充填してなる壁パネルの接合構造としたことにより耐火性を有するものにすることができる。
【００３５】
次に、請求項５の発明は、請求項１，２，３又は４において、前記キャップ固定部材Ｂと前記キャップ材１２との間には耐火発泡膨張材１４を装着してなる壁パネルの接合構造としたことにより、隣接する壁パネル材Ａ，Ａ間における耐火性を確保することができる。
【００３６】
上記効果を詳述すると、火災時に耐火発泡膨張材１４が熱せられ、発泡しつつ体積膨張してキャップ材１２と略同等外形の耐火ブロック材となり、キャップ材１２箇所の耐火性を確保することができるものである。
【図面の簡単な説明】
【図１】本発明の要部斜視図
【図２】本発明の要部縦断平面図
【図３】壁パネル材の要部斜視図
【図４】隣接する壁パネル材の上部連結片と下部連結片とが分離した縦断正面図
【図５】（Ａ）は隣接する壁パネル材の連結部分とキャップ固定部材との斜視図
（Ｂ）は隣接する壁パネル材間にキャップ固定部材を装着した要部斜視図
【図６】（Ａ）は隣接する壁パネル材間にキャップ固定部材を装着する状態図
（Ｂ）はキャップ固定部材の実施例の斜視図
（Ｃ）はキャップ固定部材の別の実施例の斜視図
（Ｄ）は（Ｃ）のキャップ固定部材を隣接する壁パネル材間に装着した状態の平面図
【図７】隣接する壁パネル材間に装着したキャップ固定部材を介してキャップ材を装着した要部斜視図
【図８】隣接する壁パネル材の連結箇所の平面図
【図９】壁パネル材の斜視図
【図１０】（Ａ）は壁パネル材の分解略示図
（Ｂ）は壁パネル材の要部拡大断面図
【図１１】（Ａ）は一部切除した別の実施例の壁パネル材の斜視図
（Ｂ）は別の実施例の隣接する壁パネル材間にキャップ固定部材を装着した要部斜視図
【図１２】キャップ固定部材とキャップ材との間に耐火発泡膨張材を装着した実施形態の要部斜視図
【図１３】（Ａ）は耐火発泡膨張材を装着した実施形態の要部断面図
（Ｂ）は（Ａ）のＸ─Ｘ矢視断面図
【図１４】隣接する壁パネル材間で耐火発泡膨張材が膨張する状態図
【図１５】隣接する壁パネル材間とキャップ材内部で膨張した耐火発泡膨張材の斜視図
【図１６】（Ａ）はキャップ材から浸入した雨水が溝形条部により外部に排出する状態図（Ｂ）はキャップ材から浸入した雨水が溝形条部により外部に排出する状態斜視図
【符号の説明】
Ａ…壁パネル材
Ｂ…キャップ固定部材
１…主板
２…側部
３…溝形条部
４…上部連結片
５…下部連結片
７ａ…ハニカム芯材
７ｂ…耐火材
８…台座片
９…ガイド片
１０…嵌合部
１２…キャップ材
１４…耐火発泡膨張材
【図１】
0003850592.tif 000002
【図２】
0003850592.tif 000003
【図３】
0003850592.tif 000004
【図４】
0003850592.tif 000005
【図５】
0003850592.tif 000006
【図６】
0003850592.tif 000007
【図７】
0003850592.tif 000008
【図８】
0003850592.tif 000009
【図９】
0003850592.tif 000010
【図１０】
0003850592.tif 000011
【図１１】
0003850592.tif 000012
【図１２】
0003850592.tif 000013
【図１３】
0003850592.tif 000014
【図１４】
0003850592.tif 000015
【図１５】
0003850592.tif 000016
【図１６】
0003850592.tif 000017